(57)【要約】【課題】板状の本体とこれに連なる突条部とを有する床スラブ形成用版であって、本体と突条部とが十分な一体性を有する床スラブ形成用版を製造するための方法を提供すること。【解決手段】  床スラブ形成用版（１０）の製造方法は、その本体（１２）を形成するための、上方に向けて開放する凹所（２２）を有する型枠（２０）を準備し、型枠の凹所内に配筋を施し、配筋をされた鉄筋上に、版の突条部（１４）を形成するための、複数の脚（３０）を有する少なくとも１つの細長いコンクリート成形体（２８）を脚を介して載置し、その後、凹所内にコンクリートを打設し、これにより、コンクリート中に鉄筋と脚とを埋設することを含む。【選択図】図２
2006200212.tif 000002
【特許請求の範囲】
【請求項１】
板状の本体とこれに連なる突条部とを有する床スラブ形成用版の製造方法であって、
前記本体を形成するための、上方に向けて開放する凹所を有する型枠を準備すること、
前記型枠の凹所内に配筋をすること、
前記配筋をされた鉄筋上に、前記突条部を形成するための、複数の脚を有する少なくとも１つの細長いコンクリート成形体を前記脚を介して載置すること、
その後、前記凹所内にコンクリートを打設すること、
これにより、前記コンクリート中に前記鉄筋と前記脚とを埋設することを含む、製造方法。
【請求項２】
前記細長いコンクリート成形体は矩形の横断面形状を有し、また、前記脚は全体にＬ形に伸びる、請求項１に記載の製造方法。
【請求項３】
さらに、前記鉄筋に接合され、前記型枠の凹所を超えて上方へ伸びる複数のトラス筋と、該トラス筋の頂部に配置されかつ接合され前記細長いコンクリート成形体と平行に伸びる鉄筋を含む、請求項１に記載の製造方法。
【発明の詳細な説明】
【技術分野】
【０００１】
本発明は、建物の床スラブを形成されるために用いられる床スラブ形成用版の製造方法に関する。
【背景技術】
【０００２】
前記建物の床スラブを形成するため、複数の床形成用版が、先に構築された一対の梁に並べて掛け渡され、その後これらの床形成用版の上にコンクリートを打設することが行われている。
【０００３】
床形成用版として、その重量の軽減、その曲げ強度の増大等を図ることを目的として形成されたプレキャストコンクリート板（ＰＣａ板）からなるもの、すなわち比較的薄い板状の本体と、該本体から突出して伸びる１又は複数の突条部とを備えるものがある。
【０００４】
このような床形成用版を形成する方法として、後記特許文献１に記載された方法の採用が考えられる。この方法では、前記本体を成形するための凹所を規定する型枠の前記凹所内に配筋をした後、配筋された鉄筋上に、予め成形された、前記突条部となるべき１又は複数の細長いコンクリート成形体を載せ、その後前記凹所内にコンクリートを打設する。
【０００５】
しかし、この方法では、前記突条部となるべき細長いコンクリート成形体を前記鉄筋の上に直接に載置することから、前記コンクリート成形体とこれに接する鉄筋との間に隙間がなく、このためにこれらの間に打設コンクリートが回り込むことができず、前記打設コンクリートからなる本体と前記突条部との一体性が不十分となる可能性がある。また、このために前記鉄筋の上方に所定の被り厚さを確保できないという問題がある。
【特許文献１】特開平９−２８７２１１号公報
【発明の開示】
【発明が解決しようとする課題】
【０００６】
本発明の目的は、板状の本体とこれに連なる突条部とを有する床スラブ形成用版であって、前記本体と前記突条部とが十分な一体性を有する床スラブ形成用版を製造するための方法を提供することにある。また、本発明の他の目的は、前記本体に埋設される鉄筋の回りに十分な被り厚さを確保し得る床スラブ形成用版の製造方法を提供することにある。
【課題を解決するための手段】
【０００７】
本発明は、板状の本体とこれに連なる突条部とを有する床スラブ形成用版の製造方法であって、前記本体を形成するための、上方に向けて開放する凹所を有する型枠を準備すること、前記型枠の凹所内に配筋をすること、前記配筋をされた鉄筋上に、前記突条部を形成するための、複数の脚を有する少なくとも１つの細長いコンクリート成形体を前記脚を介して載置すること、その後、前記凹所内にコンクリートを打設すること、これにより、前記コンクリート中に前記鉄筋と前記脚とを埋設することを含む。
【０００８】
前記細長いコンクリート成形体はこれが矩形の横断面形状を有し、前記脚が全体にＬ形に伸びるものとすることができる。前記床スラブ形成用版は、さらに、前記鉄筋に接合され、前記型枠の凹所を超えて上方へ伸びる複数のトラス筋と、該トラス筋の頂部に配置されかつ接合され前記細長いコンクリート成形体と平行に伸びる鉄筋を含むものであってもよい。
【発明の効果】
【０００９】
本発明によれば、床スラブ形成用版の板上の本体に連なる突条部を形成するためのコンクリート成形体を、型枠の凹所内への配筋により設置された鉄筋上に、これから伸びる複数の脚を介して載置することから、前記コンクリート成形体と前記鉄筋との間に十分な隙間を確保することができる。この隙間は、後に前記凹所に打設されるコンクリートで満たされ、前記鉄筋のための十分な被り厚さを保証する。前記本体の一部をなすこととなる前記隙間を満たす前記打設コンクリートは、前記本体と、前記凸部となる前記コンクリート成形体との間に十分な接着性、したがって前記本体と前記凸部との間に十分な一体性を与える。
【００１０】
前記Ｌ形の脚は、前記細長いコンクリート成形体と前記凹所内の鉄筋との間に所要の間隔を付与すると共に、前記凹所内、したがって該凹所内に打設されるコンクリート中に比較的長いアンカーを確保することができる。また、前記トラス筋は、床スラブの完成のために後に打設されるコンクリートと前記床スラブ形成用版との一体性を強固にする役目を果たす。
【発明を実施するための最良の形態】
【００１１】
図１を参照すると、本発明に係る方法に従って製造された床スラブ形成用版の一例が全体に符号１０で示されている。
【００１２】
図示の床スラブ形成用版１０は、全体に矩形の、より詳細には細長い矩形の平面形状を有する板状の本体１２と、該本体からその上方に突出する一の突条部１４とを有する。
【００１３】
突条部１４は、本体１２の平面形状である前記矩形の相対する二辺のほぼ中央部を前記矩形の他の二辺の一方から他方まで伸びている。設けられる前記突条部の数量は、これを１とする図示の例のほか、２以上の複数とすることができる。複数の突条部は互いに平行に配置され、このときにはより面積の大きい本体とされる。
【００１４】
また、図示の突条部１４は、矩形の横断面形状を有する。必要に応じて、矩形以外の横断面形状を有するものを選択することができる。
【００１５】
床スラブ形成用版１０は、使用時、建物の構築において先に形成された一対の梁（図示せず）に掛け渡される。このとき、床スラブ形成用版１０は、その複数個をこれらの突条部１４が互いに平行になるように、その本体１２を突き合わせて並べられる。並べられたこれらの床スラブ形成用版１０上にはコンクリートが打設され、床スラブ（図示せず）が形成される。このとき、突条部１４は前記打設コンクリート中に埋設される。
【００１６】
図示の床スラブ形成用版１０は、さらに、本体１２にその平面形状である前記矩形の一方の二辺のそれぞれに沿って一列に配置された複数のトラス筋１６と、各列のトラス筋１６の頂部に溶接された棒状の鉄筋１８とを備える。
【００１７】
各トラス筋１６は逆Ｖ形を呈する２つの鉄筋からなり、各鉄筋の両下端部が本体１２に埋め込まれ、その両上端部が本体１２の上方に突出している。
【００１８】
二列のトラス筋１６及び鉄筋１８は、共に、床スラブ形成用版１０上に打設される前記コンクリート中に埋設され、アンカーの作用をなす。
【００１９】
床スラブ形成用版１０は、次にようにして形成することができる（図２参照）。
【００２０】
先ず、本体１２を形成するための型枠２０を準備する。
【００２１】
型枠２０は上方に向けて開放する細長い凹所２２を有する。凹所２２は、形成されるべき本体１２の矩形の平面形状及びその高さ寸法とそれぞれ同じ平面形状及び同じ深さ寸法を有し、また、平坦な底面２３により規定されており、凹所２２にコンクリートを打設することにより、コンクリート成形体としての本体１２を形成することができる。
【００２２】
次に、型枠の凹所２２内に配筋を施す。図示の例では、縦横に交差する横筋２４及び縦筋２６からなる。これらの横筋及び縦筋は、適宜の支持部材（図示せず）を介して、凹所２２の底面２３からその上方に間隔をおいて水平に配置されている。各トラス筋１６が凹所２２の長手方向へ配列されかつ横筋２４及び縦筋２６に溶接され、その一部が凹所２２を超えて上方に突出している。
【００２３】
次に、予め形成された一つの細長いコンクリート成形体２８を凹所２２内の縦横の鉄筋２４，２６上に載置する。
【００２４】
コンクリート成形体２８は、凹所２２の幅方向における中央部に縦筋２６と平行に配置され、凹所２２の長手方向へ伸びている。
【００２５】
コンクリート成形体２８は、その下面から伸びる複数対の脚３０を有する。複数対の脚３０はコンクリート成形体２８の長手方向に互いに間隔をおいて配置されている。図示の例では、各対の脚３０は、ハット形に折り曲げられた鉄筋の両端部からなり他の一部３２（前記両端部以外の前記ハット形の頂部）がコンクリート成形体２８に埋め込まれている。
【００２６】
図示の各対の脚３０は、コンクリート成形体２８の下面から下方へ伸びる部分３４と、さらに互い反対方向へ向けて前記下面と平行に伸びる部分３６とからなり、全体にＬ形の形状を有する。
【００２７】
各対の脚３０の直立する一部３４は、コンクリート成形体２８を凹所２２内の鉄筋２４，２６からその上方に位置させ、これらの鉄筋とコンクリート成形体２８との間に隙間を形成する働きをなす。また、水平な他の一部３６は、直立する一部３４とともに、コンクリート成形体２８を鉄筋２４，２６上に保持する働きをなす。各脚３０は、好ましくは、鉄筋２４，２６に番線（図示せず）で結束する。
【００２８】
図示の例では、コンクリート成形体２８の下面が凹所２２の開放面上に位置するように脚３０の大きさが定められているが、コンクリート成形体２８の下面が凹所２２の前記開放面下に位置するように設定することも可能である。
【００２９】
その後、凹所２２内にコンクリート（図示せず）を打設し、該コンクリートで凹所２２を満たす。これにより、コンクリート中に鉄筋２４，２６と脚３０とを埋設し、本体１２を形成する。
【００３０】
凹所２２内に打設された本体２１の一部をなす前記コンクリートは、前記隙間を埋め、コンクリート成形体２８にその底面において強固に接合する。その結果、コンクリート成形体２８によりスラブ形成用版１０の突条部１４が形成され、突条部１４は本体１２と一体をなす。
【００３１】
凹所２２内にコンクリートを打設したとき、トラス筋１６の上部と、これに支持された鉄筋１８とが打設コンクリート又は凹所２２の上方に露出する。
【００３２】
なお、脚３０は、コンクリート成形体２８を前記したように支持する機能を有する機能を有することを条件に、図示の例に代えた他の形状のものを採用することができる。
【００３３】
また、複数の突条部１４を有する床スラブ形成用版１０を形成するときは、前記したと同様にして、凹所２２上又は凹所２２内に複数のコンクリート成形体２８を互いに間隔をおいて、配置し、凹所２２にコンクリートを打設する。
【図面の簡単な説明】
【００３４】
【図１】本発明に係る方法に従って製造された床スラブ形成用版の斜視図である。
【図２】本発明に係る方法を実施するための型枠を含む装置の縦断面図である。
【符号の説明】
【００３５】
１０  床スラブ形成用版
１２  本体
１４  突条部
１６  トラス筋
１８  鉄筋
２０  型枠
２２  凹所
２４，２６  横筋及び縦筋
２８  コンクリート成形体
３０  脚
【図１】
2006200212.tif 000003
【図２】
2006200212.tif 000004